(57)【要約】【課題】本発明は、ユーザの入力によりユーザインターフェースがリアルタイムに変化することによってユーザが直観的に認識し、容易に操作できるユーザインターフェースを提供する両方向スライド型移動通信端末機及びそのユーザインターフェース表示方法を提供するためのものである。【解決手段】本発明は、上部本体が上記下部本体に対してスライディング移動する両方向スライド型移動通信端末機のユーザインターフェース表示方法であって、上記上部本体のスライディング移動に従って各々の動作モードに切り替わるステップと、上記切り替わった動作モードに従うグラフィックユーザインターフェース（ＧＵＩ）を表示するステップと、上記タッチバンドから受信されたユーザ入力に対応して上記インターフェースをリアルタイムに変化して表示するステップと、を含むことを特徴とする。【選択図】図２
2008289161.tif 000002
【特許請求の範囲】
【請求項１】
上部本体と、タッチバンドを含む下部本体とからなり、前記上部本体が前記下部本体に対してスライディング移動する両方向スライド型移動通信端末機のユーザインターフェース表示方法であって、
前記上部本体のスライディング移動を感知し、この前記感知された移動方向に従って各々の動作モードに切り替わるステップと、
前記切り替わった動作モードに従うグラフィックユーザインターフェース（ＧＵＩ）を表示するステップと、
前記タッチバンドから受信されたユーザ入力に対応して前記インターフェースをリアルタイムに変化させて表示するステップと、
を含むことを特徴とする両方向スライド型移動通信端末機のユーザインターフェース表示方法。
【請求項２】
前記タッチバンドは、前記ユーザ入力を感知するセンサを含むことを特徴とする請求項１に記載の両方向スライド型移動通信端末機のユーザインターフェース表示方法。
【請求項３】
前記タッチバンドはアーチ（arch）型で、
前記インターフェースは、
前記上部本体がスライディング移動する場合に前記タッチバンドと、
前記タッチバンドのアーチと組合せられて円形の帯（band）を形成するアーチ型のガイドバンドと、を含むことを特徴とする請求項１に記載の両方向スライド型移動通信端末機のユーザインターフェース表示方法。
【請求項４】
前記ガイドバンドは、前記タッチバンドから入力されるユーザ入力に対応して回転または押圧されて表示されることを特徴とする請求項３に記載の両方向スライド型移動通信端末機のユーザインターフェース表示方法。
【請求項５】
前記ガイドバンドをリアルタイムに変化させて表示するステップは、
前記タッチバンドを介したユーザ入力が受信されたか否かを判断して、前記ユーザ入力が前記タッチバンド上の任意のある位置から他の位置まで連続したユーザ入力であるか否かを判断するステップと、
前記ユーザ入力が任意のある位置から他の位置までの連続したユーザ入力である場合、前記任意のある位置から他の位置までの移動方向に従って前記ガイドバンドをリアルタイムに変化させて表示するステップと、をさらに含むことを特徴とする請求項４に記載の両方向スライド型移動通信端末機のユーザインターフェース表示方法。
【請求項６】
前記任意のある位置から他の位置までの移動方向が時計方向である場合、前記ガイドバンドを時計方向に回転して表示することを特徴とする請求項５に記載の両方向スライド型移動通信端末機のユーザインターフェース表示方法。
【請求項７】
前記任意のある位置から他の位置までの移動方向が反時計方向である場合、前記ガイドバンドを反時計方向に回転して表示することを特徴とする請求項５に記載の両方向スライド型移動通信端末機のユーザインターフェース表示方法。
【請求項８】
前記ユーザ入力が前記タッチバンド上の任意のある位置から他の位置まで連続した入力である場合、前記ユーザ入力の平均速度が既設定されたしきい値以上であるか否かを判断するステップと、
前記判断結果に従って、前記ガイドバンドを、前記ユーザ入力の平均速度に対応する回転速度で回転して表示するステップと、を含むことを特徴とする請求項４に記載の両方向スライド型移動通信端末機のユーザインターフェース表示方法。
【請求項９】
前記タッチバンドを介したユーザ入力が受信されたか否かを判断し、前記ユーザ入力が前記タッチバンド上の任意のある位置を押圧するユーザ入力であるか否かを判断するステップと、
前記判断結果に従って前記ガイドバンドのうち、前記任意のある位置に対応する位置を押圧して表示するステップと、
前記押圧されて表示される位置に既設定された命令を遂行するステップと、を含むことを特徴とする請求項４に記載の両方向スライド型移動通信端末機のユーザインターフェース表示方法。
【請求項１０】
前記タッチバンドと前記グラフィックユーザインターフェースで表示されるガイドバンドは、各々一直線の帯であり、前記上部本体がスライディング移動する場合、前記タッチバンドとガイドバンドが組合わさって一組の平行な直線の帯を形成し、
前記ガイドバンドは、前記タッチバンドから入力されるユーザ入力に従って上下に動いたり、または押圧されたりして表示されることを特徴とする請求項１に記載の両方向スライド型移動通信端末機のユーザインターフェース表示方法。
【請求項１１】
前記タッチバンドと前記ユーザグラフィックインターフェースで表示されるガイドバンドは、各々“＜”型と“＞”型の帯であり、前記上部本体がスライディング移動する場合、前記タッチバンドとガイドバンドとが組合わさって、スライド方向に頂点を有する菱型を形成し、
前記ガイドバンドは、前記タッチバンドから入力されるユーザ入力に従って回転するか、または押圧されて表示されることを特徴とする請求項１に記載の両方向スライド型移動通信端末機のユーザインターフェース表示方法。
【請求項１２】
上部本体と下部本体とからなり、前記上部本体が前記下部本体に対してスライディング移動する両方向スライド型移動通信端末機であって、
前記下部本体に位置してアーチ（arch）型に具現されて、ユーザ入力を受信するタッチバンドと、
前記上部本体がスライディング移動する場合、前記タッチバンドのアーチと円形をなすガイドバンドを含むグラフィックユーザインターフェース（ＧＵＩ）を表示する表示部と、
前記タッチバンドを通じて入力されるユーザ入力に対して前記ガイドバンドをリアルタイムに変化して表示するように前記表示部を制御する制御部と、
を含むことを特徴とする両方向スライド型移動通信端末機。
【請求項１３】
前記タッチバンドは、前記ユーザ入力を感知するセンサを含むことを特徴とする請求項１２に記載の両方向スライド型移動通信端末機。
【請求項１４】
前記上部本体のスライディング移動方向を感知するスライディング方向感知部をさらに含み、
前記制御部は、前記感知されたスライディング移動方向に従う動作モードに切り替わり、前記切り替わった動作モードに従って前記グラフィックユーザインターフェースを各々表示することを特徴とする請求項１２に記載の両方向スライド型移動通信端末機。
【請求項１５】
前記タッチバンドは、任意のある位置から他の位置まで連続するユーザ入力を受信し、
前記制御部は、前記連続したユーザ入力の移動方向を判断し、前記ガイドバンドをリアルタイムに変化させて表示することを特徴とする請求項１２に記載の両方向スライド型移動通信端末機。
【請求項１６】
前記制御部は、前記移動方向が時計方向である場合、前記ガイドバンドを時計方向に回転させて表示し、反時計方向である場合、前記ガイドバンドを反時計方向に回転させて表示することを特徴とする請求項１５に記載の両方向スライド型移動通信端末機。
【請求項１７】
前記タッチバンドは任意のある位置を押圧するユーザ入力を受信し、
前記制御部は前記押圧された位置に対応するガイドバンドの位置を押圧して表示し、該当位置に既設定されたユーザ命令を遂行することを特徴とする請求項１２に記載の両方向スライド型移動通信端末機。
【請求項１８】
音声データを出力するスピーカーをさらに含み、
前記スピーカーは、前記下部本体に位置して前記アーチ型のタッチバンドを囲む形態であることを特徴とする請求項１２に記載の両方向スライド型移動通信端末機。
【請求項１９】
下部本体と前記下部本体に対してスライディング移動する上部本体と、
前記下部本体に位置して入力を受信するセンサと、
ガイドバンドを含むグラフィックユーザインターフェース（ＧＵＩ）を表示する表示部と、
前記センサを通じて受信される入力に従って前記ガイドバンドをリアルタイムに変化させて表示されるように制御する制御部と、を含み、
前記センサ及びガイドバンドは同一の形態であることを特徴とする両方向スライド型移動通信端末機。
【請求項２０】
前記センサ及びガイドバンドは、半円型、直線バー、またはＶ字型であることを特徴とする請求項１９に記載の両方向スライド型移動通信端末機。
【発明の詳細な説明】
【技術分野】
【０００１】
本発明は、両方向スライド型移動通信端末機及びそのユーザインターフェース表示方法に関し、より詳しくは、ユーザ入力によりユーザインターフェースがリアルタイムに変化して、ユーザが直観的に認識し、容易に操作できるユーザインターフェースを提供する両方向スライド型移動通信端末機及びそのユーザインターフェース表示方法に関する。
【背景技術】
【０００２】
移動通信端末機は、情報通信技術と端末機製造技術の発達により徐々に軽量化及び小型化される趨勢におり、またその使用が普遍化されるにつれて、多くのユーザの欲求に応じるために多様な機能とデザインの端末機製品が市場に発表されている。
特に、写真や映画、またはミュージックビデオのような映像媒体に関心が多い若い層を中心にしてマルチメディア機能を搭載した移動通信端末機の需要が爆発的に増加して、デジタルカメラが内蔵された移動通信端末機や動画再生が可能な移動通信端末機が大量に供給されている。
一方、移動通信端末機の形態も、バー（bar）型からフリップ（flip）型、フォルダー（folder）型、スライド（slide）型の順に多様化された。その中で、スライド型端末機は端末機の本体が２つに分けられて、そのうち、上部本体が下部本体に対して相対的なスライド移動をしながら開閉される形態であって、現在は上部本体が上方に移動することだけでなく、下方にも移動できる両方向スライド型が市場に発表されている。
【０００３】
このような両方向スライド型移動通信端末機は、通話機能と別途に、カメラ機能を便利に利用できるように考案されたものであって、上部本体を下方に降ろして、カメラの方向を変換させる構造となっている。しかしながら、従来の両方向スライド型移動通信端末機は、カメラ使用を中心として具現されたので、カメラ機能を除外した残りの機能は脆弱なのが実状である。
例えば、音楽聴取のためにユーザがカバーを下方に降ろしたときは、再生（PLAY）、早送り（FF）、巻戻し（REW）のダイレクトキーのみ使用することができる。一方、カメラ専用インターフェースが端末機に備えられている場合は、音楽聴取専用インターフェースが備えられていないので、ユーザに大いな不便をもたらしているのが実状である。音楽聴取だけでなく、環境設定、メッセージ作成、電話帳など、移動通信端末機に搭載された多様な機能もインターフェースが脆弱であるため、ユーザがこれを使用するにあたって、不便を感じている。
【特許文献１】韓国特許出願公開第２００４−９８９７９号公報
【特許文献２】韓国特許出願公開第２００７−２３４８号公報
【特許文献３】韓国特許出願公開第２００５−１０４７６９号公報
【発明の開示】
【発明が解決しようとする課題】
【０００４】
本発明は、ユーザの入力によりユーザインターフェースがリアルタイムに変化することによって、ユーザが直観的に認識し、容易に操作できるユーザインターフェースを提供する両方向スライド型移動通信端末機及びそのユーザインターフェース表示方法を提供することをその目的とする。
【課題を解決するための手段】
【０００５】
本発明は、上部本体とタッチバンドを含む下部本体とからなり、上部本体が下部本体に対してスライディング移動する両方向スライド型移動通信端末機のユーザインターフェース表示方法は、上部本体のスライディング移動を感知し、その感知された移動方向に従って各々の動作モードに切り替わるステップと、切り替わった動作モードに従うグラフィックユーザインターフェース（ＧＵＩ）を表示するステップと、タッチバンドからユーザ入力を受信し、この受信されたユーザ入力に対応してインターフェースをリアルタイムに変化させて表示するステップと、を含む。
上記上部本体が上記下部本体に対してスライディング移動する両方向スライド型移動通信端末機は、上記下部本体に位置してアーチ（arch）型に具現されて、ユーザ入力を受信するタッチバンドと、上記上部本体がスライディング移動する場合、上記タッチバンドのアーチと円形をなすガイドバンドを含むグラフィックユーザインターフェース（ＧＵＩ）を表示する表示部と、上記タッチバンドを通じて入力されるユーザ入力に対応して上記ガイドバンドをリアルタイムに変化させて表示するように上記表示部を制御する制御部と、を含む。
【発明の効果】
【０００６】
本発明によると、ユーザ入力によりユーザインターフェースがリアルタイムに変化してユーザが直観的に認識し、容易に操作できるユーザインターフェースを提供する両方向スライド型移動通信端末機及びそのユーザインターフェース表示方法が得られる。
【発明を実施するための最良の形態】
【０００７】
以下、本発明の好ましい実施形態を添付した図面を参照しながら詳細に説明する。図面中、同一な構成要素はできる限りどの所でも同一な符号で表していることに留意すべきである。下記の説明及び添付図面において本発明の要旨を余計に曖昧にすることができる公知機能及び構成に対する詳細な説明は省略する。
図１は、本発明の一実施形態に係る両方向スライド型移動通信端末機を示す図である。図１Ａは通話モード時の移動通信端末機であり、図１Ｂはマルチメディア再生モード時の移動通信端末機を示す図である。
本実施形態では、上部本体１０が、図１ＡのようにＡ方向にスライディング移動した場合には通話モードが実行され、図１ＢのようにＢ方向にスライディング移動した場合にはマルチメディア再生モードが実行される。
【０００８】
移動通信端末機１００の下部本体１２にはセンサを含むタッチバンド１６が備えられてマルチメディア再生モードを実行するためのユーザ入力を感知することができる。具体的には、下部本体１２に備えられたタッチバンド１６はアーチ型の帯（band）で、ユーザ入力を受信する。移動通信端末機１００はユーザ入力に対してグラフィックユーザインターフェース（Graphic User Interface：ＧＵＩ）をリアルタイムに変化させ、その変化させたＧＵＩを表示部１４に表示する。ここで、ＧＵＩは、各モードに対応して表示部１４に表示される様々なインターフェースの中で、グラフィック形式に提供されるユーザインターフェースを指す。このように、タッチバンド１６から入力されるユーザ入力に対してリアルタイムに変化するグラフィックユーザインターフェースをガイドバンド４２と称することにする。
【０００９】
また、下部本体１２は、スピーカー１８を具備して音声データを出力する。スピーカー１８は、図１Ｂに示すように、帯状のタッチバンド１６を囲む形態でありうる。また、スピーカー１８は、移動通信端末機１００の各動作モードに従ってリアルタイムに変化するガイドバンド４２に対応する各々の効果音を出力する。
【００１０】
図２は、本発明の一実施形態に係る両方向スライド型移動通信端末機の概略的な構成を示すブロック図である。
本発明に係る移動通信端末機１００は、ＲＦ（Radio Frequency）部２０、キー入力部２２、メモリ２４、スライド方向感知部２６、マルチメディア再生部２８、表示部１４、制御部３０、及びタッチバンド１６を含む。
【００１１】
ＲＦ部２０は、移動通信端末機１００の無線通信機能を遂行する。ＲＦ部２０は、送信される信号の周波数を上昇変換及び増幅するＲＦ送信機（図示せず）と、受信される信号を低雑音増幅し、周波数を下降変換するＲＦ受信機（図示せず）などを含む。
【００１２】
キー入力部２２は、数字及び文字の入力を受けることができるキー及び各種機能を設定するためのキーを具備してユーザから入力を受信する。
【００１３】
メモリ２４は、プログラムメモリ及びデータメモリからなり、本発明に係る移動通信端末機１００の動作制御のために必要とされる各種情報及びマルチメディアデータなどを格納する。
スライド方向感知部２６は、移動通信端末機１００の上部本体１０がスライディング移動する場合、移動した方向を感知する。
【００１４】
マルチメディア再生部２８は、メモリ２４に既格納されたマルチメディアデータを再生するか、またはアンテナなどを介して受信されたマルチメディアを再生する。
【００１５】
表示部１４は、ＬＣＤ（Liquid Crystal Display）等からなることができ、移動通信端末機１００で発生する各種表示データを出力する。ＬＣＤをタッチスクリーン（touch screen）方式で具現する場合、表示部１４は入力手段として動作する。
本実施形態に従う表示部１４は、制御部３０の制御下に移動通信端末機１００の様々な動作モードに従うガイドバンド４２を含むインターフェースを表示し、後述するタッチバンド１６を通じて入力されるユーザ入力に対してリアルタイムに変化するガイドバンド４２を表示することができる。
【００１６】
制御部３０は、移動通信端末機１００の全般的な動作を制御する。本実施形態に従う制御部３０は、上部本体１０が図１ＢのＢ方向にスライディング移動した場合、Ｂ方向に従って既設定された動作モードを実行させる。また、下部本体１２に備えられたタッチバンド１６からユーザ入力を受信し、表示部１４が上記ユーザ入力に対応してガイドバンド４２がリアルタイムに変動されて表示できるようにする。
【００１７】
タッチバンド１６は、移動通信端末機１００の下部本体１２に位置して移動通信端末機１００の各々の動作モードに従うユーザのタッチ（touch）入力を受信する。このために、タッチバンド１６はユーザの入力を感知できるセンサを具備する。
例えば、タッチ入力は、ユーザがタッチバンド１６に手指などで任意のある位置から他の位置まで移動しながら連続して接触すること、または任意のある位置を所定時間押圧することなどによってできる。タッチバンド１６は、図１の実施形態のように、アーチ（arch）形に具現される。
タッチバンド１６は、下部本体１２に固定されたものであるので、上記入力により変化するわけではないが、上記入力に対応して表示部１４のガイドバンド４２がリアルタイムに変化されて表示されるので、ユーザにホイール（wheel）を回すような感じを与えることができる。
【００１８】
図３は、本発明の一実施形態に従う両方向スライド型移動通信端末機のユーザインターフェース表示方法を示すフローチャートである。
移動通信端末機１００の上部本体１０がスライディング移動すると、制御部３０は上部本体１０のスライディング移動を感知し（Ｓ３２）、スライディング方向感知部２６は上部本体１０がスライディング移動した方向を感知する。制御部３０は、スライディング方向感知部２６の感知結果に従って、上部本体１０のスライディング移動方向が既設定された方向であるか否かを判断する（Ｓ３４）。
【００１９】
スライディング方向感知部２６が感知した方向が既設定された方向である場合（Ｓ３４：Ｙ）、制御部３０は移動通信端末機１００を上記設定された方向に従って既設定された動作モードに切り替わる（Ｓ３６）。
例えば、既設定された動作モードには、通話モード、マルチメディア再生モード、メッセージ（ＳＭＳ）作成モードなどがある。ステップＳ３６で、既設定された動作モードがマルチメディア再生モードであれば、移動通信端末機１００はマルチメディア再生モードに切り替わる。また、制御部３０はユーザ入力を受信することによって、マルチメディアデータを再生するようにマルチメディア再生部２８を制御することができる。
【００２０】
移動通信端末機１００が上記設定された動作モードに切り替わると、表示部１４は上記動作モードに従うグラフィックユーザインターフェース（ＧＵＩ：Graphic User Interface）を表示する（Ｓ３８）。移動通信端末機１００は、タッチバンド１６を通して入力されるユーザ入力に対してリアルタイムに変化して表示されるガイドバンド４２を表示部１４に表示する（Ｓ４０）。タッチバンド１６を通じて入力されるユーザ入力に対してリアルタイムに表示されるガイドバンド４２については後述する。
スライディング方向感知部２６により感知された上部本体１０のスライディング移動方向が既設定された方向でない場合（Ｓ３４：Ｎ）、移動通信端末機１００は別の動作を実行しない。
【００２１】
図４は、本発明の一実施形態に係るタッチバンドから入力されるユーザ入力に対してリアルタイムに変化するガイドバンドを示す図である。
移動通信端末機１００の表示部１４の右側にアーチ型のガイドバンド４２と、下部本体１２に備えられたアーチ型のタッチバンド１６とが互いに連結された形態で一つの円を形成する。タッチバンド１６はセンサを具備してユーザから入力を受信する。
タッチバンド１６を通じて受信されるユーザ入力には、タッチバンド１６を手指などで接触させて任意のある位置から他の位置へ連続的な入力を加える動作、任意のある位置を押圧する動作などがある。特に、任意のある位置から他の位置へ連続入力を行う動作には、その連続入力の移動方向が時計方法(2)または反時計方向(1)に区別されることができる。このような動作によりタッチバンド１６が実際に動くわけではないが、表示部１４のガイドバンド４２がその入力に対してリアルタイムに変化することで、ユーザはタッチバンド１６を利用してガイドバンド４２を直接動かしているような感覚を受けることができる。
【００２２】
マルチメディア再生モードにおいて、上記ユーザ入力に対してリアルタイムに変化するガイドバンド４２の表示は、次の通りである。移動通信端末機１００は、表示部１４にマルチメディアファイルの曲目リストを表示する。
ユーザからタッチバンド１６を通じて時計方向(2)または反時計方向(1)に、任意のある位置から他の位置へ連続的な接触の入力を受けると、表示部１４に表示されるアーチ型のガイドバンド４２もそれに対応して時計方向(4)または反時計方向(3)に回転して表示される。
また、表示部１４のガイドバンド４２が回転するによって、ガイドバンド４２の左側に表示された曲目リストも上下にスクロール（scroll）表示されて選択されることができる。図４の表示部１４で選択された曲は、曲目にボックス（box）で表示されたものである。本実施形態において、選択曲は曲目リストのうち、表示部１４の中央のボックスに位置する曲と仮定する。
【００２３】
図４において、“Babe”が選択された曲とすると、ユーザ入力と連動してガイドバンド４２が反時計方向(3)に回転すると、曲目リストも反時計方向(3)に回転して再整列される。したがって、表示部１６の曲目のうち、選択曲は“Babe”から“Broken Your Heart”や“You're the one”に変更される。一方、ガイドバンド４２が時計方向(4)に回転すると、曲目リストが下から上にスクロールされて再整列される。したがって、選択曲が“Babe”から“Relight My Fire”や“Pray”となる。
【００２４】
本図面では、歌題目リストがガイドバンド４２の回転に従って時計方向(4)または反時計方向(3)に回転して再整列する場合に対して記載したが、曲目リストは回転せず、ボックスのみ回転して表示することもできる。即ち、ガイドバンド４２が時計方向(4)に回転すると、ボックスが回転方向に従って移動して表示されると共に、選択曲も“Babe”から“Relight My Fire”や“Pray”となる。
【００２５】
図５は、本発明の一実施形態に従うタッチバンドから入力されるユーザ入力に対してリアルタイムに変化するユーザインターフェース表示方法を示すフローチャートである。
移動通信端末機１００の制御部３０は、タッチバンド１６を通じたユーザ入力を受信したか否かを判断する（Ｓ５０）。ユーザ入力を受信しない場合（Ｓ５０：Ｎ）、別の動作を実行しない。
【００２６】
タッチバンド１６を通じたユーザ入力を受信した場合（Ｓ５０：Ｙ）、制御部３０はその入力が任意のある位置から他の位置までの連続したユーザ入力であるか否かを判断する（Ｓ５２）。連続したユーザ入力でない場合（Ｓ５２：Ｎ）、移動通信端末機１００は別の動作を実行しない。
連続したユーザ入力である場合（Ｓ５２：Ｙ）、任意のある位置から他の位置までの移動方向が時計方向であるか否かを判断する（Ｓ５４）。時計方向である場合（Ｓ５４：Ｙ）、移動通信端末機１００は表示部１４のガイドバンド４２を時計方向に任意のある位置から他の位置までの距離だけ回転して表示する（Ｓ５６）。
時計方向でない場合（Ｓ５４：Ｎ）、移動方向は反時計方向である。したがって、制御部３０はガイドバンド４２を反時計方向に任意のある位置から他の位置までの距離だけ回転して表示する（Ｓ５８）。
【００２７】
図６は、本発明の他の実施形態に従うタッチバンドから入力されるユーザ入力に対してリアルタイムに変化するユーザインターフェース表示方法を示すフローチャートである。この際、ユーザ入力は任意のある位置から他の位置まで連続されることと仮定する。
移動通信端末機１００の制御部３０は、タッチバンド１６を通じたユーザ入力を受信したか否かを判断する（Ｓ６０）。ユーザ入力を受信しない場合（Ｓ６０：Ｎ）、移動通信端末機１００は別途の動作を実行しない。
【００２８】
タッチバンド１６を通じたユーザ入力を受信した場合（Ｓ６０：Ｙ）、制御部３０は任意のある位置から他の位置までの連続したユーザ入力の平均速度がしきい値以上であるか否かを判断する（Ｓ６２）。
しきい値以上である場合（Ｓ６２：Ｙ）、移動通信端末機１００はガイドバンド４２を第１の速度で回転して表示する。一方、しきい値以上でない場合（Ｓ６２：Ｎ）、ガイドバンド４２を第２の速度で回転して表示する。この際、しきい値は移動通信端末機１００内に既設定されている値でありうる。
【００２９】
例えば、しきい値が０．１ｍ／ｓで、第１の速度が０．１ｍ／ｓ、第２の速度が０．０５ｍ／ｓと仮定する。任意のある位置から他の位置まで連続したユーザ入力の平均速度が０．１ｍ／ｓ以上であれば、ガイドバンド４２も０．１ｍ／ｓの速度で回転する。一方、移動速度が０．１ｍ／ｓ以上でなければ、ガイドバンド４２は０．０５ｍ／ｓの速度で回転する。
本図面ではしきい値が一つである場合について記述したが、実施形態に従ってしきい値の数は制限されず、同様に、各しきい値に従うガイドバンド４２の回転速度は全て異なることができる。
【００３０】
図７は、本発明の他の実施形態に係るタッチバンドから入力されるユーザ入力に対してリアルタイムに変化するユーザインターフェースの表示方法を示すフローチャートである。
移動通信端末機１００の制御部３０は、タッチバンド１６を通じたユーザ入力を受信したか否かを判断する（Ｓ７０）。ユーザ入力を受信しない場合（Ｓ７０：Ｎ）、移動通信端末機１００は別の動作を実行しない。
タッチバンド１６を通じたユーザ入力を受信した場合（Ｓ７０：Ｙ）、制御部３０はそのユーザ入力がタッチバンド１６の任意のある位置を押圧するものであるか否かを判断する（Ｓ７２）。任意のある位置を押圧するものでない場合（Ｓ７２：Ｎ）、移動通信端末機１００は別の動作を実行しない。
【００３１】
判断の結果、任意のある位置を押圧するものである場合（Ｓ７２：Ｙ）、移動通信端末機１００は押圧された位置に対応するガイドバンド４２のある位置が押圧されるように表示する（Ｓ７４）。制御部３０は押圧された位置に対して既設定された命令を遂行する（Ｓ７６）。
押圧された位置に対して既設定された命令は、マルチメディア再生モード時の移動通信端末機１００である場合には、巻戻し、再生、早送り、及び停止などがある。
【００３２】
図８は、本発明の他の実施形態に係るタッチバンドから入力されるユーザ入力に対してリアルタイムに変化するユーザインターフェースを示す図である。
図８は、タッチバンド１６と、タッチバンド１６から入力されるユーザ入力に対してリアルタイムに変化するガイドバンド４２が菱形をなす場合を示す図である。表示部１４には移動通信端末機１００に既格納された写真ファイルが整列されている。
【００３３】
タッチバンド１６を通じて入力されるユーザ入力を受信して写真ファイルが選択される。ユーザから“＞”形のタッチバンド１６で時計方向または反時計方向の移動方向を持つ連続的な接触が入力されると、それに対応して“＜”形のガイドバンド４２が時計方向または反時計方向に回転する。タッチバンド１６は、下部本体１２に固定されたものであるので、ユーザ入力が受信されても実際に動くわけではないが、表示部１６に表示されるガイドバンド４２は回転角度に従って“＜”形を変化させて表示することができる。
【００３４】
例えば、図８で選択された写真ファイルが“写真５”と仮定する。ユーザがタッチバンド１６の任意のある位置から他の位置へ反時計方向(1)の連続入力を入力すると、選択ファイルは“写真８”となり、タッチバンド１６のある位置から他の位置へ時計方向(2)の連続入力を入力すると、表示部１４に表示される選択ファイルは“写真２”となる。
また、ユーザはタッチバンド１６で、任意のある位置から他の位置へ接触を連続して入力することで、左側に押すか(5)右側に引く(6)ユーザ入力を入力することができる。移動通信端末機１００は上記の入力を受信して写真ファイルを選択することができる。
【００３５】
例えば、現在選択された写真ファイルが“写真５”とする。ユーザがタッチバンド１６を左側に押す(5)ユーザ入力が入力されると、選択ファイルが変更されて“写真４”が選択される。同様に、タッチバンド１６を右側に引く(6)ユーザ入力が入力されると、選択ファイルは“写真５”から“写真６”に変更される。
【００３６】
図９は、本発明の他の実施形態に係るタッチバンドから入力されるユーザ入力に対してリアルタイムに変化するユーザインターフェースを示す図である。
図９は、タッチバンド１６と、タッチバンド１６から入力されるユーザ入力に対してリアルタイムに変化するガイドバンド４２が一直線状である場合を示す図である。表示部１４には、移動通信端末機１００のメニュー（menu）が整列されている。ユーザはタッチバンド１６を利用して希望するメニューを選択することができる。ユーザがタッチバンド１６の任意のある位置から他の位置へ連続的な接触をすることで、下から上に押し上げるか(8)上から下に引き下ろす(7)ユーザ入力を行うと、それによって、ガイドバンド４２が上から下、または下から上に動くことになる。また、ガイドバンド４２が上下に動くことによって、表示部１４に表示されるメニューまたは選択されるメニューが変更される。
【００３７】
例えば、移動通信端末機１００の中央に右側に突出して表示されたメニューが選択されたものであり、メニュー名が上下に動きながらその中の一つが選択されるとすると、図９で選択されたメニューは“携帯電話管理”である。タッチバンド１６に下から上に押し上げる(8)ユーザ入力が入力されると、表示部１４に表示されたメニューも下から上に移動する(10)。それによって、選択されたメニューが“電話帳”または“カメラ”などに変更される。反対に、タッチバンド１６に上から下に引き下ろす(7)ユーザ入力が受信されると、表示部１４のメニューも上から下に移動して(9)選択されたメニューは“声設定”または“コンテンツ保管箱”となる。
【００３８】
図１０は、本発明の他の実施形態に係るタッチバンドから入力されるユーザ入力に対してリアルタイムに変化するユーザインターフェースを示す図である。
図１０は、移動通信端末機１００の縦が横より長い形態である場合、上部本体１０がスライディング移動してタッチバンド１６から入力されるユーザ入力に対してリアルタイムに対応するガイドバンド４２を示す図である。アーチ型のタッチバンド１６と、表示部１４の上側の一部に具現されてアーチ型のガイドバンド４２とは互いに連結された形態の円を形成する。
【００３９】
移動通信端末機１００は、ユーザから手指などを接触させてアーチ型のタッチバンド１６に任意のある位置から他の位置への方向を持つ連続的な接触を受信することにより、ユーザ入力を受信して表示部１４のガイドバンド４２を回転させる。この際、上記の方向性を持つユーザ入力には時計方向(11)または反時計方向(12)の接触がある。
ユーザがタッチバンド１６に時計方向(11)のユーザ入力を入力すると、ガイドバンド４２も時計方向に回転(14)し、タッチバンド１６に反時計方向(12)のユーザ入力を入力すると、ガイドバンド４２も反時計方向(13)に回転する。
【００４０】
また、ガイドバンド４２が回転するにつれて、ガイドバンド４２の下側に表示されたメニューも変更される。図１０を参照すると、表示部１４には移動通信端末機１００のメニューのうち、声設定に関するメニューが整列されている。ユーザがタッチバンド１６に反時計方向(12)のユーザ入力を入力すると、ガイドバンド４２が時計方向(14)に回転すると共に、表示部１４のメニューが左側から右側へ移動して整列される。
この際、表示部１４の中央に位置したメニューを選択メニューとすると、選択メニューは“グループキャラクターベル”から、“音量設定”、“ベル振動選択”など、ユーザがタッチバンド１６に加える回転動作に従って変わることができる。
【００４１】
一方、前述した本発明の説明では、具体的な実施形態に関して説明したが、種々の変化は本発明の範囲を逸脱することなく、実施することができる。特に、本発明の実施形態では移動通信端末機がマルチメディア再生モード及び環境設定モードでのグラフィックユーザインターフェースを例として挙げているが、これは本発明の説明を助けるために便宜上の例を挙げたものである。したがって、通話モードの他に少なくとも一つの動作モードを実行できる両方向スライド型移動通信端末機であれば、当業者により上記動作モードに対するインターフェースが適用されることができる。
【図面の簡単な説明】
【００４２】
【図１Ａ】本発明の一実施形態に係る両方向スライド型移動通信端末機を示す図である。
【図１Ｂ】本発明の一実施形態に係る両方向スライド型移動通信端末機を示す図である。
【図２】本発明の一実施形態に係る両方向スライド型移動通信端末機の概略的な構成を示すブロック図である。
【図３】本発明の一実施形態に係る両方向スライド型移動通信端末機のユーザインターフェース表示方法を示すフローチャートである。
【図４】本発明の一実施形態に係るタッチバンドから入力されるユーザ入力に対してリアルタイムに変化するユーザインターフェースを示す図である。
【図５】本発明の一実施形態に係るタッチバンドから入力されるユーザ入力に対してリアルタイムに変化するユーザインターフェース表示方法を示すフローチャートである。
【図６】本発明の他の実施形態に係るタッチバンドから入力されるユーザ入力に対してリアルタイムに変化するユーザインターフェース表示方法を示すフローチャートである。
【図７】本発明の他の実施形態に係るタッチバンドから入力されるユーザ入力に対してリアルタイムに変化するユーザインターフェースの表示方法を示すフローチャートである。
【図８】本発明の他の実施形態に係るタッチバンドから入力されるユーザ入力に対してリアルタイムに変化するユーザインターフェースを示す図である。
【図９】本発明の他の実施形態に係るタッチバンドから入力されるユーザ入力に対してリアルタイムに変化するユーザインターフェースを示す図である。
【図１０】本発明の他の実施形態に係るタッチバンドから入力されるユーザ入力に対してリアルタイムに変化するユーザインターフェースを示す図である。
【符号の説明】
【００４３】
１４  表示部
１６  タッチバンド
２０  ＲＦ部
２２  キー入力部
２４  メモリ
２６  スライド方向感知部
２８  マルチメディア再生部
３０  制御部
１００  移動通信端末機
【図１Ａ】
2008289161.tif 000003
【図１Ｂ】
2008289161.tif 000004
【図２】
2008289161.tif 000005
【図３】
2008289161.tif 000006
【図４】
2008289161.tif 000007
【図５】
2008289161.tif 000008
【図６】
2008289161.tif 000009
【図７】
2008289161.tif 000010
【図８】
2008289161.tif 000011
【図９】
2008289161.tif 000012
【図１０】
2008289161.tif 000013